(57)【要約】【課題】原稿読取りを行なう操作の状況に応じて、適切なガイダンスを行なうことで、ユーザにとって煩わしさを感じることなく、有用性の高いガイダンスを実行できる原稿読取装置等を提供する。【解決手段】原稿読取処理を選択的に指定することができる原稿読取装置（１）であって、選択された原稿読取処理に必要な情報を通知する音声出力部（４）と、音声出力部（４）の出力を制御する通知制御部（８）とを備え、通知制御部（８）は特定の原稿読取処理が選択されたときに、原稿読取装置（１）が特定機器状態でない場合には、特定の原稿読取処理が選択されて所定の時間が経過後に、特定機器状態にすることを促す通知情報を音声出力部（４）に出力させ、原稿読取装置（１）が特定機器状態である場合には、特定機器状態にすることを促す内容の通知情報を前記通知部に出力しないように制御することを特徴とする。【選択図】図２
2019201380.tif 000002
【特許請求の範囲】
【請求項１】
原稿読取処理を選択的に指定することができる原稿読取装置であって、
選択された原稿読取処理に必要な情報を通知する通知部と、
前記通知部の出力を制御する通知制御部と、を備え、
前記通知制御部は、
特定機器状態下において機能する特定の原稿読取処理が選択されたときに、
当該原稿読取装置の機器状態が前記特定機器状態でない場合には、前記特定の原稿読取処理が選択されて所定の時間が経過後に、前記特定機器状態にすることを促す通知情報を前記通知部に出力させ、
当該原稿読取装置の機器状態が前記特定機器状態である場合には、前記特定機器状態にすることを促す内容の通知情報を前記通知部に出力しないように制御することを特徴とする原稿読取装置。
【請求項２】
前記通知制御部は、前記特定の原稿読取処理が選択され、かつ、前記特定機器状態である場合において、前記特定機器状態でなくなった場合には、直ちに前記通知情報を前記通知部により出力するようにすることを特徴とする請求項１に記載の原稿読取装置。
【請求項３】
前記通知情報は、当該原稿読取装置に備わる表示パネルへ表示される表示情報であることを特徴とする請求項１または２に記載の原稿読取装置。
【請求項４】
前記通知部として、原稿読取処理に必要な情報を音声で通知する音声出力部を備え、
前記通知情報は、前記音声出力部により出力される音声情報であることを特徴とする請求項１または２に記載の原稿読取装置。
【請求項５】
前記通知情報の通知は、通知態様を変えて段階的に行なわれることを特徴とする請求項１または２に記載の原稿読取装置。
【請求項６】
前記通知情報は、
前記特定の原稿読取処理が選択された後に所定の時間が経過後に、所定の時間が経過したこと報知する第１の通知情報と、
前記第１の通知情報による報知が行なわれた後に、前記特定機器状態にすることを促す第２の通知情報と、を備えることを特徴とする請求項３に記載の原稿読取装置。
【請求項７】
前記通知部は、
前記第１の通知情報を出力する第１の通知部と、
前記第１の通知部を実行後に前記第２の通知情報を出力する第２の通知部と、
を備えることを特徴とする請求項６に記載の原稿読取装置。
【請求項８】
原稿が載置されるプラテンと、前記プラテン上に開閉可能に設置されたプラテンカバー又は自動原稿送り装置と、を備え、
前記特定機器状態は、前記プラテンカバー又は前記自動原稿送り装置が、開状態又は閉状態であることを特徴とする請求項１から７のうち何れか一項に記載の原稿読取装置。
【請求項９】
前記通知部の出力先が当該原稿読取装置の外部に接続された機器又はサービスであることを特徴とする請求項１から７のうち何れか一項に記載の原稿読取装置。
【請求項１０】
原稿読取処理を選択的に指定することができる原稿読取装置を備えて画像を形成することが可能な画像形成装置であって、
前記原稿読取装置として、請求項１から９のうち何れか一項に記載の原稿読取装置を備えることを特徴とする画像形成装置。
【請求項１１】
原稿読取処理を選択的に指定することができる原稿読取装置におけるガイダンス通知方法であって、
選択された原稿読取処理に必要な情報を通知する工程と、
前記情報の通知を制御する工程と、を備え、
さらに、特定機器状態下において機能する特定の原稿読取処理が選択されたときに、
当該原稿読取装置の機器状態が前記特定機器状態でない場合には、前記特定の原稿読取処理が選択されて所定の時間が経過後に、前記特定機器状態にすることを促す通知情報を通知するように制御する工程と、
当該原稿読取装置の機器状態が前記特定機器状態である場合には、前記特定機器状態にすることを促す内容の通知情報を通知しないように制御する工程と、
を備えることを特徴とするガイダンス通知方法。
【請求項１２】
原稿読取処理を選択的に指定することができる原稿読取装置を動作させる制御プログラムであって、
コンピュータにより、
選択された原稿読取処理に必要な情報を通知するように機能させ、
前記通知することを制御するように機能させ、
さらに、特定機器状態下において機能する特定の原稿読取処理が選択されたときに、
当該原稿読取装置の機器状態が前記特定機器状態でない場合には、前記特定の原稿読取処理が選択されて所定の時間が経過後に、前記特定機器状態にすることを促す通知情報を通知するように制御するように機能させ、
当該原稿読取装置の機器状態が前記特定機器状態である場合には、前記特定機器状態にすることを促す内容の通知情報を通知しないように制御するように機能させることを特徴とする制御プログラム。
【発明の詳細な説明】
【技術分野】
【０００１】
本発明は、原稿読取装置等に係り、特に、原稿読取処理を選択的に指定することができる原稿読取装置等に関する。
【背景技術】
【０００２】
近年、原稿読取装置やこれを備えた画像形成装置等において、原稿を読取る際に、操作手順等のガイダンスを表示することによりユーザの操作を間違えないようしたものが知られている。
【０００３】
従来技術として、例えば、画像形成装置において、特定機械状態下において機能する画像形成動作モードが選択された場合であって、画像形成装置の機械状態が特定機械状態でない場合に、その特定機械状態にすることを促す内容の表示情報を表示部に表示し、画像形成装置の機械状態が特定機械状態である場合に、その特定機械状態を維持することを促す内容の表示情報を表示部に表示するようにしたものが開示されている（特許文献１を参照。）。
【０００４】
このように構成することで、画像形成装置において、特定機械状態下において機能する画像形成動作モードに関して、熟知していないユーザが特定機械状態以外の状態にすることを防止し、操作性を向上させることができる。
【先行技術文献】
【特許文献】
【０００５】
【特許文献１】特開２００５−４０３９号公報
【発明の概要】
【発明が解決しようとする課題】
【０００６】
特許文献１にて提案されている技術では、画像形成装置の機械状態が特定機械状態でない場合に、その特定機械状態にすることを促すことを表示するようにしているが、例えば、仕様を正しく理解しているユーザの場合、これから正規の操作を行なおうとしているときに、正規の操作を行なうガイダンスが実行されると、ユーザにとってはお節介であり、煩わしい。
【０００７】
また、近年、原稿読取装置において、原稿台に複数の原稿をセットした場合、原稿台の上に置かれた複数の原稿の位置と大きさを自動的に検出し、各原稿の切り出しを行うという、いわゆるマルチクロップ技術が知られている。
【０００８】
マルチクロップ機能を用いる画像読取りでは、例えば、通常のコピー操作のように原稿カバーを閉じて原稿読取りを行なうものとは異なり、原稿カバーを開けた状態で原稿読取りを行なうようにするものがある。このように、原稿を読取る機能に応じて原稿を読取る状態が異なる場合は、原稿を読取る操作を行なう際に、原稿カバーを開けるように促す音声ガイドを行なうことで操作ミスを防止するようにしたものが知られている。
【０００９】
しかしながら、原稿を読取る操作を行なう際に、無条件に音声ガイダンスを実行すると、仕様を正しく理解しているユーザの場合は、これから原稿カバーを開けようとしているときに音声ガイドが実行されると、ユーザにとってはお節介であり、煩わしいという問題があった。
【００１０】
そこで、原稿読取りを行なう操作の状況に応じて、ユーザが原稿読取りの操作を理解していない場合や、操作を一時的に忘れている場合等に、ガイダンスの実行が適切に行なわれるようにした原稿読取装置が望まれていた。
【００１１】
本発明は、上記従来の課題に鑑みてなされたものであり、原稿読取装置において、原稿読取りを行なう操作の状況に応じて、適切なガイダンスを行なうことで、ユーザにとって煩わしさを感じることなく、有用性の高いガイダンスを実行できる原稿読取装置等を提供することを目的とする。
【課題を解決するための手段】
【００１２】
本発明は、原稿読取処理を選択的に指定することができる原稿読取装置であって、選択された原稿読取処理に必要な情報を通知する通知部（例えば、音声の発話や画面表示）と、前記通知部の出力を制御する通知制御部と、を備え、前記通知制御部の構成として、特定機器状態下（例えば、原稿カバーが開放状態のとき）において機能する特定の原稿読取処理（例えば、マルチクロップ機能）が選択されたときに、当該原稿読取装置の機器状態が前記特定機器状態でない場合には（例えば、原稿カバーが閉じている場合）、前記特定の原稿読取処理が選択されて所定の時間が経過後に、前記特定機器状態にする（例えば、原稿カバーを開放状態にする）ことを促す通知情報を前記通知部に出力させ、当該原稿読取装置の機器状態が前記特定機器状態である場合には、前記特定機器状態にすることを促す内容の通知情報を前記通知部に出力しないようにする制御部と、を備えることを特徴とするものである。
【００１３】
また、本発明は、原稿読取処理を選択的に指定することができる原稿読取装置を備えて画像を形成することが可能な画像形成装置であって、前記原稿読取装置として、選択された原稿読取処理に必要な情報を通知する通知部と、前記通知部の出力を制御する通知制御部と、を備え、前記通知制御部の構成として、特定機器状態下において機能する特定の原稿読取処理が選択されたときに、当該原稿読取装置の機器状態が前記特定機器状態でない場合には、前記特定の原稿読取処理が選択されて所定の時間が経過後に、前記特定機器状態にすることを促す通知情報を前記通知部に出力させ、当該原稿読取装置の機器状態が前記特定機器状態である場合には、前記特定機器状態にすることを促す内容の通知情報を前記通知部に出力しないようにする制御部と、を備えた原稿読取装置を用いることを特徴とするものである。
【００１４】
また、本発明は、原稿読取処理を選択的に指定することができる原稿読取装置におけるガイダンス通知方法であって、選択された原稿読取処理に必要な情報を通知する工程と、前記情報の通知を制御する工程と、を備え、さらに、特定機器状態下において機能する特定の原稿読取処理が選択されたときに、当該原稿読取装置の機器状態が前記特定機器状態でない場合には、前記特定の原稿読取処理が選択されて所定の時間が経過後に、前記特定機器状態にすることを促す通知情報を通知するように制御する工程と、当該原稿読取装置の機器状態が前記特定機器状態である場合には、前記特定機器状態にすることを促す内容の通知情報を通知しないように制御する工程と、を備えることを特徴とするものである。
【００１５】
また、本発明は、原稿読取処理を選択的に指定することができる原稿読取装置を動作させる制御プログラムであって、コンピュータにより、選択された原稿読取処理に必要な情報を通知するように機能させ、前記通知することを制御するように機能させ、特定機器状態下において機能する特定の原稿読取処理が選択されたときに、当該原稿読取装置の機器状態が前記特定機器状態でない場合には、前記特定の原稿読取処理が選択されて所定の時間が経過後に、前記特定機器状態にすることを促す通知情報を通知するように機能させ、当該原稿読取装置の機器状態が前記特定機器状態である場合には、前記特定機器状態にすることを促す内容の通知情報を通知しないように機能させることを特徴とするものである。
【発明の効果】
【００１６】
本発明の原稿読取装置によれば、原稿読取処理を選択的に指定することができる原稿読取装置であって、選択された原稿読取処理に必要な情報を通知する通知部と、前記通知部の出力を制御する通知制御部と、を備え、前記通知制御部の構成として、特定機器状態下において機能する特定の原稿読取処理が選択されたときに、当該原稿読取装置の機器状態が前記特定機器状態でない場合には、前記特定の原稿読取処理が選択されて所定の時間が経過後に、前記特定機器状態にすることを促す通知情報を前記通知部に出力させ、当該原稿読取装置の機器状態が前記特定機器状態である場合には、前記特定機器状態にすることを促す内容の通知情報を前記通知部に出力しないようにする制御部と、を備えることで、原稿読取りを行なう操作の状況に応じて、適切なガイダンスを行なうことができ、ユーザにとって煩わしさを感じることなく、有用性の高いガイダンスを実行できる原稿読取装置を提供することができる。
【００１７】
また、本発明の画像形成装置によれば、原稿読取処理を選択的に指定することができる原稿読取装置を備えて画像を形成することが可能な画像形成装置であって、前記原稿読取装置として、選択された原稿読取処理に必要な情報を通知する通知部と、前記通知部の出力を制御する通知制御部と、を備え、前記通知制御部の構成として、特定機器状態下において機能する特定の原稿読取処理が選択されたときに、当該原稿読取装置の機器状態が前記特定機器状態でない場合には、前記特定の原稿読取処理が選択されて所定の時間が経過後に、前記特定機器状態にすることを促す通知情報を前記通知部に出力させ、当該原稿読取装置の機器状態が前記特定機器状態である場合には、前記特定機器状態にすることを促す内容の通知情報を前記通知部に出力しないようにする制御部と、を備えた原稿読取装置を用いることで、原稿読取りを行なう操作の状況に応じて、適切なガイダンスを行なうことができ、ユーザにとって煩わしさを感じることなく、有用性の高いガイダンスを実行できる画像形成装置を提供することができる。
【００１８】
また、本発明のガイダンス通知方法によれば、原稿読取処理を選択的に指定することができる原稿読取装置におけるガイダンス通知方法であって、選択された原稿読取処理に必要な情報を通知する工程と、前記情報の通知を制御する工程と、を備え、さらに、特定機器状態下において機能する特定の原稿読取処理が選択されたときに、当該原稿読取装置の機器状態が前記特定機器状態でない場合には、前記特定の原稿読取処理が選択されて所定の時間が経過後に、前記特定機器状態にすることを促す通知情報を通知するように制御する工程と、当該原稿読取装置の機器状態が前記特定機器状態である場合には、前記特定機器状態にすることを促す内容の通知情報を通知しないように制御する工程と、を備えることで、原稿読取りを行なう操作の状況に応じて、適切なガイダンスを行なうことができ、ユーザにとって煩わしさを感じることなく、有用性の高いガイダンスを実行できる。
【００１９】
また、本発明の制御プログラムによれば、原稿読取処理を選択的に指定することができる原稿読取装置を動作させる制御プログラムであって、コンピュータにより、選択された原稿読取処理に必要な情報を通知するように機能させ、前記通知することを制御するように機能させ、特定機器状態下において機能する特定の原稿読取処理が選択されたときに、当該原稿読取装置の機器状態が前記特定機器状態でない場合には、前記特定の原稿読取処理が選択されて所定の時間が経過後に、前記特定機器状態にすることを促す通知情報を通知するように機能させ、当該原稿読取装置の機器状態が前記特定機器状態である場合には、前記特定機器状態にすることを促す内容の通知情報を通知しないように機能させることで、画像形成装置において、原稿読取りを行なう操作の状況に応じて、適切なガイダンスを行なうことができ、ユーザにとって煩わしさを感じることなく、有用性の高いガイダンスを実行できる。
【図面の簡単な説明】
【００２０】
【図１】第１実施形態に係る原稿読取装置を備えた画像形成装置の全体の構成を示す説明図である。
【図２】前記原稿読取装置の構成を示すブロック図である。
【図３】前記原稿読取装置による原稿読取モードに応じたガイダンスを行なう処理の一例を示すフローチャートである。
【図４】図３に続くフローチャートである。
【図５】前記原稿読取装置におけるユーザの操作パターンを分類する操作パターン分類テーブルである。
【図６】第２実施形態に係る原稿読取装置の構成を示すブロック図である。
【図７】第３実施形態に係る原稿読取装置の構成を示すブロック図である。
【発明を実施するための形態】
【００２１】
（第１実施形態）
以下、本発明の第１実施形態について図面を参照して説明する。
図１は発明を実施する形態の一例であって、第１実施形態に係る原稿読取装置を備えた画像形成装置の全体の構成を示す説明図、図２は前記原稿読取装置の構成を示すブロック図である。
【００２２】
第１実施形態は、図１に示すように、原稿読取処理を選択的に指定することができる原稿読取装置１を備える画像形成装置１００において、原稿読取装置１による原稿読取り操作を行なう際に、原稿読取モードに応じて、ユーザに対して適切なガイダンスを行なうようにしたことを特徴とするものである。
【００２３】
まず、第１実施形態に係る画像形成装置１００の全体構成について説明する。
画像形成装置１００は、図１に示すように、主に、原稿読取装置１、操作表示部３、画像形成部１０４、給紙部１０６、排紙処理装置１０８を備えて構成されている。
【００２４】
原稿読取装置１により入力された画像データに基づいて、画像形成部１０４において記録媒体上にトナー画像が形成される。画像が印刷された記録用紙は、排紙トレイ１０７または排紙処理装置１０８の方へと導かれて、排紙トレイ１０７に排出され、または排紙処理装置１０８の各排紙トレイ１１０のいずれかに排出される。
【００２５】
原稿読取装置１は、図２に示すように、主に、スキャナ部２、操作表示部３、音声出力部（通知部）４、記憶部６、通知制御部８及び制御部９を備えて構成されている。
【００２６】
第１実施形態では、スキャナ部２は、原稿読取を行なうものであって、画像が形成された原稿を読取る。備える機能として、普通に原稿を読取る機能に加えて、一度の読取動作で複数の原稿を読取る機能（マルチクロップ機能）を備え、それぞれの原稿に対して、原稿カバー（プラテンカバー）２１を開放した状態で複数の原稿を読取った第１原稿読取情報と、原稿カバー２１を閉じた状態で複数の原稿を読取った第２原稿読取情報と、を取得することを特徴としている。
【００２７】
また、スキャナ部２は、複数の原稿を連続的に読取ることができる自動原稿送り装置（ADF：Auto Document Feeder）２３を備えている。自動原稿送り装置は、原稿カバー２１として機能するように構成されている。
【００２８】
原稿読取装置１は、普通に原稿を読取る通常モードと、マルチクロップ機能によるクロップモードとを備えている。
【００２９】
操作表示部３は、表示パネル３１を備え、原稿の読取り操作を行なうための操作画面や、読込まれた原稿の読込み状態を示すプレビュー画像、ガイダンス表示などが表示される。
【００３０】
音声出力部４は、装置の操作に関するガイダンス等を音声で通知する。
【００３１】
記憶部６は、音声でガイダンスを行なうためのガイダンス情報６１、装置に関する各種通知情報６２などが収容されている。各種通知情報６２には、音声情報に限らず、各種メッセージに対応する表示情報が含まれる。
【００３２】
通知制御部８は、カバー開閉判定部８１と、モード判定部８２とを備え、装置機器の状態に応じて、装置の操作に関するガイダンス等を音声出力部４より出力（通知）するように制御する。
【００３３】
カバー開閉判定部８１は、原稿カバー２１の開閉状態を判定する。
モード判定部８２は、ユーザが選択した原稿読取モード（通常モード、クロップモード）を判定する。
【００３４】
制御部９は、原稿を読取る動作プログラムに基づいて原稿読取装置１の各部の動作制御を行なう。
【００３５】
（原稿読取装置による原稿の読取り）
次に、原稿読取装置１による原稿の読み取り操作について説明する。
第１実施形態では、原稿読取装置１において原稿を読取る場合には、通常モードまたはクロップモードを選択して原稿の読取りを行なう。
【００３６】
（通常モード）
まず、通常モードで原稿を読取る場合は、原稿を１枚ずつ読取るときは、図１に示すように、プラテン上に原稿を載置して原稿カバー２１を閉じた状態で原稿を読取る。複数の原稿を連続的に読取る場合は、原稿カバー２１として機能する自動原稿送り装置２３をプラテン上に配置して閉じた状態として、自動原稿送り装置に原稿を載置して、原稿を１枚ずつ送出しながら原稿の読取りが行なわれる。
【００３７】
（クロップモード）
次に、クロップモードで原稿を読取る場合は、プラテン上に複数の読取り対象となる原稿を載置して、原稿カバー２１を開放した状態で原稿読取りを行なう。このとき、走査光が反射されないため、スキャン画像の背景は黒くなり、それぞれの原稿の識別が可能となる。
【００３８】
（原稿読取装置によるガイダンスを実行する操作パターンの分類）
次に、原稿読取装置１によるガイダンスを実行するか否かを操作パターンを分類して判定する例について説明する。
図５は第１実施形態におけるユーザの操作パターンを分類する操作パターン分類テーブルである。
【００３９】
ここでは、原稿読取装置１において、クロップ機能による原稿読取りを行なう場合について、図５の操作パターン分類テーブルに基づいて、クロップ機能オン前の操作状態（原稿カバーの開放状態）と、クロップ機能オン後の操作とにより、ガイダンスを行なうか否かを判定する処理について説明する。
【００４０】
第１実施形態では、原稿読取装置１によるガイダンスを実行する操作パターンの分類は、図５に示すように、主に９パターンに分類される。
【００４１】
パターン１は、（クロップ機能オン前の状態は、原稿カバーが閉状態、原稿の有無が不明、クロップ機能オン後の操作は、直ぐに原稿カバー開、原稿載置、原稿カバー開維持）であるため、この判定は、ジョブ実行は「可」となり、ガイダンスは実行されない。
【００４２】
パターン２は、（クロップ機能オン前の状態は、原稿カバーが閉状態、原稿の有無が不明、クロップ機能オン後の操作は、直ぐに原稿カバー開、原稿載置、原稿カバー閉）であるため、この判定は、ジョブ実行は「不可」となる。これは、明らかに誤操作であり、ガイダンスが実行される。
【００４３】
パターン３は、（クロップ機能オン前の状態は、原稿カバーが閉状態、原稿の有無が不明、クロップ機能オン後の操作は、直ぐに原稿カバーを開けない）であるため、この判定は、ジョブ実行は「不可」となる。これは、すでに原稿が置かれている可能性が高く、誤操作のおそれがあるため、ガイダンスが実行される。
【００４４】
パターン４は、（クロップ機能オン前の状態は、原稿カバーが閉状態、原稿検知済、クロップ機能オン後の操作は、直ぐに原稿カバー開）であるため、この判定は、ジョブ実行は「可」となり、ガイダンスは実行されない。
【００４５】
パターン５は、（クロップ機能オン前の状態は、原稿カバーが閉状態、原稿検知済、クロップ機能オン後の操作は、直ぐに原稿カバーを開けない）であるため、この判定は、ジョブ実行は「不可」となる。誤操作の可能性が高いため、ガイダンスは実行される。
【００４６】
パターン６は、（クロップ機能オン前の状態は、原稿カバーが開状態、原稿検知済、クロップ機能オン後の操作は、原稿カバー開維持）であるため、この判定は、ジョブ実行は「可」となり、ガイダンスは実行されない。
【００４７】
パターン７は、（クロップ機能オン前の状態は、原稿カバーが開状態、原稿検知済、クロップ機能オン後の操作は、原稿カバー閉）であるため、この判定は、ジョブ実行は「不可」となる。これは、明らかに誤操作であり、ガイダンスが実行される。
【００４８】
パターン８は、（クロップ機能オン前の状態は、原稿カバーが開状態、原稿未検知、クロップ機能オン後の操作は、原稿載置、原稿カバー開維持）であるため、この判定は、ジョブ実行は「可」となり、ガイダンスは実行されない。
【００４９】
パターン９は、（クロップ機能オン前の状態は、原稿カバーが開状態、原稿未検知、クロップ機能オン後の操作は、原稿載置、原稿カバー閉）であるため、この判定は、ジョブ実行は「不可」となる。これは、明らかに誤操作であり、ガイダンスが実行される。
【００５０】
このように、機器の状態と操作状態に応じて、原稿読取処理が実行可能か否かを操作パターン分類に基づいて判定して、実行可能な場合にはガイダンスは行なわず、実行不可能な場合にはガイダンスを実行するようにしている。
【００５１】
（原稿読取りの処理工程）
次に、第１実施形態の原稿読取装置１による原稿読取モードに応じたガイダンスを行なう処理についてフローチャートに沿って説明する。
【００５２】
図３は第１実施形態の原稿読取装置による原稿読取モードに応じたガイダンスを行なう処理の一例を示すフローチャート、図４は図３に続くフローチャートである。
【００５３】
図３に示すように、原稿読取装置１により原稿読取処理が開始されると（ステップＳ１０１）、原稿読取りを開始（ジョブスタート）するか否かが判定される（ステップＳ１０３）。
【００５４】
ステップＳ１０３において、原稿読取りを開始すると判定された場合は、会話待ちタイマをオフにして（ステップＳ１０５）、原稿を読取るジョブが実行されて（ステップＳ１０７）、原稿読取処理は終了する。
【００５５】
ここで、第１実施形態では、会話待ちタイマの時間は３秒とするものとする。この時間の長さは適宜に設定可能なものとする。また、ユーザに対するガイダンスは、音声による会話で行なうものとする。
【００５６】
会話待ちタイマは、カウントの開始後、予め設定された時間内に原稿カバー２１が開かれなかった場合にタイムアップし、音声メッセージを発話する。会話待ちタイマは、クロップ機能がオフされた場合、ジョブが実行された場合、原稿カバー２１が開かれた場合、タイムアップした場合に停止する。
【００５７】
一方、ステップＳ１０３において、原稿読取りを開始しないと判定された場合は、クロップ機能がオンされたか否かが判定される（ステップＳ１０９）。そして、クロップ機能がオンされていないと判定された場合は、クロップ機能がオン状態からオフ状態に切替えられたか否かが判定される（ステップＳ１１５）。
【００５８】
ステップＳ１０９において、クロップ機能がオンされたと判定された場合は、原稿カバー２１が開放されているか否かが判定される（ステップＳ１１１）。原稿カバーが開放されていないと判定された場合は、会話待ちタイマを初期化してスタートし（ステップＳ１１３）、ステップＳ１０１に戻り、再び原稿読取処理の操作が行なわれる。
【００５９】
ステップＳ１１１で原稿カバー２１が開放されていると判定された場合は、そのままステップＳ１０１に戻り、再び原稿読取処理の操作が行なわれる。
【００６０】
ステップＳ１１５において、クロップ機能がオン状態からオフ状態に切替えられたと判定された場合は、会話待ちタイマをオフして（ステップＳ１１７）、ステップＳ１０１に戻り、再び原稿読取処理の操作が行なわれる。
【００６１】
一方、ステップＳ１１５において、クロップ機能がオン状態からオフ状態に切替えられていないと判定された場合は、原稿カバー２１が閉状態から開状態にされたか否かが判定される（ステップＳ１１９）。
【００６２】
ステップＳ１１９において、原稿カバー２１が閉状態から開状態にされたと判断された場合は、会話待ちタイマをオフして（ステップＳ１１７）、ステップＳ１０１に戻り、再び原稿読取処理の操作が行なわれる。
【００６３】
一方、ステップＳ１１９において、原稿カバー２１が閉状態から開状態にされていないと判断された場合は、原稿カバー２１が開状態から閉状態にされているか否かが判定される（ステップＳ１２１）。
【００６４】
ステップＳ１２１において、原稿カバー２１が開状態から閉状態にされていると判定された場合は、クロップ機能がオン状態か否かが判定される（ステップＳ１２３）。
【００６５】
ステップＳ１２３において、クロップ機能がオン状態ではないと判定された場合は、ステップＳ１０１に戻り、再び原稿読取の操作が行なわれる。
【００６６】
一方、ステップＳ１２３において、クロップ機能がオン状態であると判定された場合は、会話待ちタイマをオフにして（ステップＳ１２７）、ガイダンスが発話される（ステップＳ１２９）。そして、ステップＳ１０１に戻り、再び原稿読取操作が行なわれる。
【００６７】
ステップＳ１２１において、原稿カバー２１が開状態から閉状態にされていないと判定された場合は、会話待ちタイマがタイムアップしたか否かが判定される（ステップＳ１２５）。
【００６８】
ステップＳ１２５において、会話待ちタイマがタイムアップしていないと判定された場合は、ステップＳ１０１に戻り、再び原稿読取処理の操作が行なわれる。
【００６９】
一方、ステップＳ１２５において、会話待ちタイマがタイムアップしたと判定された場合は、会話待ちタイマをオフして（ステップＳ１２７）、ガイダンスが発話される（ステップＳ１２９）。そして、ステップＳ１０１に戻り、再び原稿読取操作が行なわれる。
【００７０】
このようにして、原稿読取操作か開始されると、原稿読取装置の操作状態に応じてガイダンスを行なうか否かが判定される。ガイダンスが必要でない場合は、ガイダンスは行なわず、ガイダンスが必要な場合は、最適なタイミングでガイダンスを実行するようにしている。
【００７１】
以上のように構成したので、第１実施形態によれば、原稿読取装置１において、特定機器状態下において機能する特定の原稿読取処理、例えば、原稿カバー２１の開放状態で原稿読取を開始するマルチクロップ機能による原稿読取が行なわれる原稿読取処理が選択されたときに、当該原稿読取装置１の機器状態が、原稿カバー２１が開放状態ではない場合には、マルチクロップ機能が選択されて所定の時間（３秒間）が経過後に、原稿カバー２１を開放状態にすることを促すガイダンスを音声出力部４から発話させ、当該原稿読取装置１の機器状態が、原稿カバー２１が開放状態である場合には、原稿カバー２１を開放状態にすることを促す内容のガイダンスを発話しないように制御することで、原稿読取りを行なう操作の状況に応じて、適切なガイダンスを行なうことができ、ユーザにとって煩わしさを感じることなく、有用性の高いガイダンスを実行できる。
【００７２】
なお、第１実施形態では、音声出力部４を備えることで、音声によりガイダンスを発話するようにしているが、ガイダンスの通知は、これに限定されることなく、表示パネル３１に、ガイダンスを表示するようにしてもよい。
【００７３】
（第２実施形態）
次に、第２実施形態について図面を参照して説明する。
なお、説明の便宜上、第１実施形態と同一の機能を有する構成には、同一の番号を付して説明を省略する。
【００７４】
図６は第２実施形態に係る原稿読取装置の構成を示すブロック図である。
【００７５】
第２実施形態の原稿読取装置２０１は、図６に示すように、原稿読取装置１による原稿読取り操作を行なう際に、原稿読取モードに応じて、ユーザに対して適切なガイダンスを行なうようにされており、さらに、その通知態様を段階的に変化させて行なうようにしたことを特徴とするものである。
【００７６】
原稿読取装置２０１は、図６に示すように、主に、スキャナ部２、操作表示部３、音声出力部４、記憶部２０６、通知制御部８及び制御部９を備えて構成されている。
【００７７】
第２実施形態では、記憶部２０６は、音声でガイダンスを行なうためのガイダンス情報２６１、装置に関する各種通知情報６２などが収容されている。
【００７８】
ガイダンス情報は２６１、通知情報として、第１の通知情報６１１と、第２の通知情報６１２とを備えている。
【００７９】
第１の通知情報６１１は、特定の原稿読取処理が選択された後に所定の時間が経過後に、所定の時間が経過したこと報知する通知情報である。
【００８０】
第２の通知情報６１２は、第１の通知情報６１１による報知が行なわれた後に、原稿読取装置２０１を特定機器状態、例えば、クロップ機能による原稿読取りを行なう場合には、原稿カバー２１を開放状態にすることを促す旨を報知する通知情報である。
【００８１】
以上のように構成したので、第２実施形態によれば、原稿読取装置２０１において、ガイダンスを行なう場合に、突然ガイダンスを実行することなく、まず、第１の通知情報を通知することで、ユーザに対してガイダンスを行なう旨を通知して、その後に第２の通知情報を通知することで、ユーザに対して煩わしさを感じさせることなく、正しい操作を促すことができる。
【００８２】
（第３実施形態）
次に、第３実施形態について図面を参照して説明する。
なお、説明の便宜上、第１実施形態と同一の機能を有する構成には、同一の番号を付して説明を省略する。
【００８３】
図７は第３実施形態に係る原稿読取装置の構成を示すブロック図である。
【００８４】
第３実施形態の原稿読取装置３０１は、図７に示すように、原稿読取装置１による原稿読取り操作を行なう際に、原稿読取モードに応じて、ユーザに対して適切なガイダンスを行なうようにされており、さらに、その通知態様を段階的に変化させて、異なる通知部により通知を行なうようにしたことを特徴とするものである。
【００８５】
原稿読取装置３０１は、図７に示すように、主に、スキャナ部２、操作表示部３、通知部３０４、記憶部３０６、通知制御部８及び制御部９を備えて構成されている。
【００８６】
第３実施形態では、記憶部３０６は、音声でガイダンスを行なうためのガイダンス情報３６１、装置に関する各種通知情報６２などが収容されている。
【００８７】
ガイダンス情報３６１は、通知情報として、第１の通知情報６１１と、第２の通知情報６１２とを備えている。
【００８８】
第１の通知情報６１１は、特定の原稿読取処理が選択された後に所定の時間が経過後に、所定の時間が経過したこと報知する通知情報である。
【００８９】
第２の通知情報６１２は、第１の通知情報６１１による報知が行なわれた後に、原稿読取装置３０１を特定機器状態、例えば、クロップ機能による原稿読取りを行なう場合には、原稿カバー２１を開放状態にすることを促す旨を報知する通知情報である。
【００９０】
また、第３実施形態では、通知部３０４として、第１の通知情報６１１を通知する第１の通知部３４１と、第２の通知情報６１２を通知する第２の通知部３４２とを備えている。
【００９１】
第１の通知部３４１は、装置に備わる音声出力部４により発話するようにしてもよい。また、表示パネル３１にメッセージを表示するようにしてもよい。さらに、別途ライトを設けて発光させるようにしてもよい。
【００９２】
第２の通知部３４２は、音声出力部４により発話するようにしてもよい。また、表示パネル３１にメッセージを表示するようにしてもよい。
【００９３】
以上のように構成したので、第３実施形態によれば、原稿読取装置３０１において、ガイダンスを行なう場合に、突然ガイダンスを実行することなく、まず、第１の通知情報を第１の通知部３４１により通知することで、ユーザに対してガイダンスを行なう旨を通知して、その後に第２の通知情報を第２の通知部３４２により通知することで、ユーザに対して煩わしさを感じさせることなく、正しい操作を促すことができる。
【００９４】
なお、上述した実施形態では、ガイダンス情報や各種通知情報は、予め装置内の記憶部６等に内蔵されているが、これに限定されるものではなく、ガイダンス情報等は、外部のファイルシステムやサーバー、又はサービスから取得してもよく、また、外部から取得するタイミングはリアルタイムまたは事前にダウンロードして装置内に格納しておいてもよい。
【００９５】
また、ガイダンスを実行する制御に関する設定は、例えば、通知を保留する所定時間等の設定を、管理者やユーザが変更できるようにしてもよい。
【００９６】
また、通知を保留する所定時間等の設定を、ユーザごとや使用状況に応じて原稿読取装置が自動的に変更するようにしてもよい。
【００９７】
また、上述した実施形態では、ガイダンス情報の通知の出力先は、原稿読取装置または画像形成装置の装置本体に備えた音声出力部４や表示パネル３１等に出力するようにしているが、これに限定されるものではなく、例えば、スマートフォンやスマートスピーカーなどの外部の機器の画面やランプ等の外部デバイスでもよく、その接続方法は有線でも無線でもよい。
【００９８】
さらに、上述した実施形態では、原稿読取装置の装置状態を自ら検出して判定してガイダンスを通知するようにしているが、外部の制御ソフトウェアが原稿読取装置の状態を取得し、通知内容と通知タイミングの制御を行うようにしてもよい。
【００９９】
例えば、外部のアプリでＭＦＰ（多機能プリンタ等の複合機）のＵＩを制御するようにしたり、いわゆるスマートフォン等の端末機からWebアプリに接続してWebアプリ側から制御するようにしたり、端末機にインストールしたＭＦＰの操作アプリから操作するようにしたものであっても、本制御方法は適用できる。
【０１００】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１０１】
１，２０１，３０１  原稿読取装置
２  スキャナ部
３  操作表示部
４  音声出力部
６，２０６，３０６  記憶部
８  通知制御部
９  制御部
２１  原稿カバー（プラテンカバー）
２３  自動原稿送り装置
３１  表示パネル
６１，２６１，３６１  ガイダンス情報（通知情報）
６２  各種通知情報
８１  カバー開閉判定部
８２  モード判定部
１００  画像形成装置
３０４  通知部
３４１  第１の通知部
３４２  第２の通知部
６１１  第１の通知情報
６１２  第２の通知情報
【図１】
2019201380.tif 000003
【図２】
2019201380.tif 000004
【図３】
2019201380.tif 000005
【図４】
2019201380.tif 000006
【図５】
2019201380.tif 000007
【図６】
2019201380.tif 000008
【図７】
2019201380.tif 000009